(57)【要約】      （修正有）【課題】構造が簡単で、使用と取り付けは便利で、操作しやすく、低コストで、メンテナンスし易く、冷却効果が優れて、照明効果もよく、外観が奇麗で、装飾効果が良く、適用範囲が広く、使用寿命が長く、安全性安定性を持つＬＥＤイルミネーションを提供する。【解決手段】第一金属ステント１、第二金属ステント２と照明装置３を含み、第一金属ステントに第一金属ベース４が設置され、第二金属ステントに第二金属ベース５が設置され、照明装置の片端は第一金属ベースと繋ぎ、もう片端は第二金属ベースと繋ぎ、第一金属ステントと第二金属ステントに絶縁材ベース６が設置され、絶縁材ベースに冷却プレート７が設置され、冷却プレートに冷却ファン８があり、また第一金属ステントと第二金属ステントにコンデンサー９がある。【選択図】図１
0003192250.tif 000002
【実用新案登録請求の範囲】
【請求項１】
LEDイルミネーションであり、その特徴は：第一金属ステント、第二金属ステントと照明装置を含み、前述した第一金属ステントに第一金属ベースが設置され、前述した第二金属ステントに第二金属ベースが設置され、前述した照明装置の片端は第一金属ベースと繋ぎ、もう片端は第二金属ベースと繋ぎ、前述した第一金属ステントと前述した第二金属ステントに絶縁材ベースが設置され、前述した絶縁材ベースに冷却プレートが設置され、前述した冷却プレートに冷却ファンがあり、また前述した第一金属ステントと前述した第二金属ステントにコンデンサーがあることを特徴とするLEDイルミネーション。
【請求項２】
請求項１に記載のLEDイルミネーションにおいて、その特徴は：前述した第一金属ベースと第二金属ベースは第一金属ステントや第二金属ステントとネジで固定され、連結することを特徴とするLEDイルミネーション。
【請求項３】
請求項１に記載のLEDイルミネーションにおいて、その特徴は：前述した絶縁材ベースは照明装置の上に取り付けられ、前述したコンデンサーは照明装置の下に取り付けられることを特徴とするLEDイルミネーション。
【請求項４】
請求項１に記載のLEDイルミネーションにおいて、その特徴は：前述した照明装置はLEDライトであることを特徴とするLEDイルミネーションことを特徴とするLEDイルミネーション。
【考案の詳細な説明】
【技術分野】
【０００１】
本実用新案はLEDイルミネーションに関わる。
【背景技術】
【０００２】
現在市場に出回っているLEDイルミネーションは、主にLEDライトの二つのピンを同時にランプベースに溶接して、ランプベースは電源と繋いで点灯する。溶接の過程にて、高温や静電によるLEDライトに対する損害は発生し易い。従って、市場に単一のLEDライトで造られた独立したイルミネーションが現れた。そして、それらの独立したイルミネーションをパッケージして、或いは組み合わせて大型イルミネーションとして生産する。しかし、独立したイルミネーションの構造は複雑で、組み立てと分解、また交換は不便である。さらに大型イルミネーションのスタンドは通常特製したものであり、環境や室内雰囲気の変化に従って変更や拡張することができない。
【考案の概要】
【考案が解決しようとする課題】
【０００３】
本実用新案の解決したい技術課題とはある種の構造が簡単で、使用と取り付けは便利で、操作しやすく、低コストで、メンテナンスし易く、冷却効果が優れて、照明効果もよく、外観が奇麗で、装飾効果が良く、適用範囲が広く、使用寿命が長く、安全性安定性を持つLEDイルミネーションを提供することである。
【課題を解決するための手段】
【０００４】
上述した課題を解決する為、本実用新案は以下の技術案を採用する：
LEDイルミネーションであり、第一金属ステント、第二金属ステントと照明装置を含み、前述した第一金属ステントに第一金属ベースが設置され、前述した第二金属ステントに第二金属ベースが設置され、前述した照明装置の片端は第一金属ベースと繋ぎ、もう片端は第二金属ベースと繋ぎ、前述した第一金属ステントと前述した第二金属ステントに絶縁材ベースが設置され、前述した絶縁材ベースに冷却プレートが設置され、前述した冷却プレートに冷却ファンがあり、また前述した第一金属ステントと前述した第二金属ステントにコンデンサーがある。
【０００５】
最適な技術案として、前述した第一金属ベースと第二金属ベースは第一金属ステントや第二金属ステントとネジで固定され、連結する。
【０００６】
最適な技術案として、前述した絶縁材ベースは照明装置の上に取り付けられ、前述したコンデンサーは照明装置の下に取り付けられる。
【０００７】
最適な技術案として、前述した照明装置はLEDライトである。
【考案の効果】
【０００８】
本実用新案のLEDイルミネーションの有益な効果は：構造が簡単で、使用と取り付けは便利で、操作しやすく、低コストで、メンテナンスし易く、冷却効果が優れて、照明効果もよく、外観が奇麗で、装飾効果が良く、適用範囲が広く、使用寿命が長く、安全性安定性を持つ。
【図面の簡単な説明】
【０００９】
【図１】本実用新案のLEDイルミネーションの構造図である。
【考案を実施するための形態】
【００１０】
図１に示したLEDイルミネーションに従って、第一金属ステント１、第二金属ステント２と照明装置３を含み、前述した第一金属ステント１に第一金属ベース４が設置され、前述した第二金属ステント２に第二金属ベース５が設置され、前述した照明装置３の片端は第一金属ベース４と繋ぎ、もう片端は第二金属ベース５と繋ぎ、前述した第一金属ステント１と前述した第二金属ステント２に絶縁材ベース６が設置され、前述した絶縁材ベース６に冷却プレート７が設置され、前述した冷却プレート７に冷却ファン８があり、また前述した第一金属ステント１と前述した第二金属ステント２にコンデンサー９がある。
【００１１】
前述した第一金属ベース４と第二金属ベース５は第一金属ステント１や第二金属ステント２とネジ10で固定され、連結する。
【００１２】
前述した絶縁材ベース６は照明装置３の上に取り付けられ、前述したコンデンサー９は照明装置３の下に取り付けられる。
【００１３】
前述した照明装置３はLEDライトである。
【００１４】
本実用新案のLEDイルミネーションの有益な効果は：構造が簡単で、使用と取り付けは便利で、操作しやすく、低コストで、メンテナンスし易く、冷却効果が優れて、照明効果もよく、外観が奇麗で、装飾効果が良く、適用範囲が広く、使用寿命が長く、安全性安定性を持つ。
【００１５】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は実用新案登録請求の範囲の定義に準じる。
【符号の説明】
【００１６】
１  第一金属ステント
２  第二金属ステント
３  照明装置
４  第一金属ベース
５  第二金属ベース
６  絶縁材ベース
７  冷却プレート
８  冷却ファン
９  コンデンサー
10  ネジ
【図１】
0003192250.tif 000003
【手続補正書】
【提出日】平成26年6月5日(2014.6.5)
【手続補正１】
【補正対象書類名】実用新案登録請求の範囲
【補正対象項目名】請求項４
【補正方法】変更
【補正の内容】
【請求項４】
請求項１に記載のLEDイルミネーションにおいて、その特徴は：前述した照明装置はLEDライトであることを特徴とするLEDイルミネーション。